(57)【要約】      （修正有）【課題】地中に埋設された比較的大径の管体の中に、電線や信号線等のケーブル又はこれらを収容する電線管等の配線・配管材を、容易に挿通することができる配線・配管材の引込方法と、この方法に使用できる端末キャップを提供する。【解決手段】筒状収容体２０の端部に、該収容体２０内に引き込まれる配線・配管材を保護する略ラッパ状の端末キャップ１０が取付けられ、該端末キャップ１０は溝状のガイド部１８を有し、先行ロープ２４に、第１の配線・配管材と該第１の配線・配管材の次に引き込まれる第２の配線・配管材を引き込むための引込ロープとを連結し、前記引込ロープを前記ガイド部１８内に収容させながら前記第１の配線・配管材を収容体２０内に引き込むことにより、前記端部において前記引込ロープと前記配線・配管材との摺接を避けながら前記収容体２０内に、引込ロープ及び第１の配線・配管材を布設する。【選択図】図７
2004320999.tif 000002
【特許請求の範囲】
【請求項１】
筒状収容体内に配線・配管材を引き込んで布設する配線・配管材の布設方法であって、
前記筒状収容体の端部には、該収容体内に引き込まれる配線・配管材を保護する略ラッパ状の端末キャップが取付けられ、該端末キャップは溝状のガイド部を有し、
前記端末キャップを挿通して前記収容体内に引き込まれた先行ロープに、第１の配線・配管材と該第１の配線・配管材の次に引き込まれる第２の配線・配管材を引き込むための引込ロープとを連結し、前記先行ロープを引っ張って、前記引込ロープを前記ガイド部内に収容させながら前記第１の配線・配管材を収容体内に引き込むことにより、
前記端部において前記引込ロープと前記配線・配管材との摺接を避けながら前記収容体内に、引込ロープ及び第１の配線・配管材を布設することを特徴とする配線・配管材の布設方法。
【請求項２】
先行ロープを引っ張って、配線・配管材および引込ロープを筒状収容体内に引き込んで該筒状収容体内に配線・配管材と引込ロープとを布設する際に用いられる端末キャップであって、
略ラッパ状に形成されて前記収容体の端部に取付けられ、内面は前記配線・配管材の摺接する面になっているとともに、該内面には前記引込ロープが収容される溝状のガイド部を設けることにより、前記引込ロープと前記配線・配管材との摺接を避けるようにしたことを特徴とする端末キャップ。
【請求項３】
断面が円形に形成されたことを特徴とする請求項２に記載の端末キャップ。
【請求項４】
長手方向に割面が形成されていることを特徴とする請求項２又は請求項３に記載の端末キャップ。
【発明の詳細な説明】
【技術分野】
【０００１】
本発明は、特には地中に埋設されたマンホール又はハンドホール等の地中埋設箱間に埋設された筒状収容体内に配線・配管材を布設する方法であって、前記収容体内に挿通された先行ロープに、第１の配線・配管材及び引込ロープを連結し、前記引込ロープを前記収容体の端部に設けられるガイド部に案内させながら、前記先行ロープを引張って、前記第１の配線・配管材及び引込ロープを該収容体内に引き込んで布設することを特徴とする配線・配管材の布設方法、及びこの方法に使用できる端末キャップの提供に関するものである。
【背景技術】
【０００２】
従来より、電線や信号線等のケーブルの配線が配管された配線・配管材は、図１６から図２０に示すように、地中に所定間隔を隔てて埋設されたハンドホールの間を接続すべく大径の管体が埋設され、この管体の中に、複数の前記配線・配管材が挿通されていた。
【０００３】
地中に埋設されたこのような管体の中に複数の配線・配管材を引き込む方法には、種々の方法があるが、その中でも一般的に使用されている方法について図１６から図２０に基づいて説明する。
【０００４】
まず、図１６に示すように、管体２００内に送り込むことができる剛性を有する長尺の呼び線２１０を管体の一端より挿入して他端まで移動させる。次に図１７又は図１８に示すように、この呼び線２１０の先端部に先行ロープ２２０を連結した後、呼び線２１０を引き戻すことにより、管体２００の中に先行ロープ２２０を布設する。続いて、図１９に示すように、この先行ロープ２２０の先端に配線・配管材２４０を連結した後、先行ロープ２２０を牽引機（図示せず）で巻き上げながら引き込んで配管するようにしていた。このとき、先行ロープ２２０には、複数の配線・配管材２４０を管体２００内に配管した後、さらに他の配線・配管材を追加して引き込みするために、引き込みと同時に複数の配線・配管材２４０の上方に布設されることになる引込ロープ２５０が連結されている。
【発明の開示】
【発明が解決しようとする課題】
【０００５】
ところが、この従来の配線・配管材の引込方法においては、図２０に示すように、剛性を有する合成樹脂からなる配線・配管材２４０を、地上から狭いハンドホール２３０内に強制的に下方に曲げながら引き込みつつ、さらに管体２００内に引き込むため、配線・配管材２４０は管体内面の上方に摺接しながら引き込まれることになる。そのため、複数の配線・配管材２４０の上方に布設されるべき引込ロープ２５０が、管体２００の上方内面と配線・配管材２４０とで挟まれ、強力な圧力がかかった状態で引き込まれる。その結果、引き込み時に引込ロープ２５０が傷付き途中で切れてしまったり、また、配線・配管材２４０の上方に布設されるべき引込ロープ２５０が、その強力な圧力が加わったまま引き込まれるため、途中で配線・配管材２４０に絡み合ったり、引込ロープ２５０自身が絡み合ったりしてしまうことがあった。このようなトラブルが起きると、かかる引込ロープ２５０を使用して、さらに引き込みすることになる他の配線・配管材の配設工事ができないから、極めて重大な事態を招くことになるという問題があった。
【０００６】
そこで、昨今では、このような引込ロープの傷付きを防止すべく、そして、配管作業をより効率的に実施できるようにすべく、その全体形状がラッパ形状に形成されており、埋設された管体の端部に取着される端末キャップが提案されている。
【０００７】
しかしながら、上述したように、剛性を有する複数の配管材を引き込むことによって管体の上方内面にかかる圧力は、相当強力なものであり、このような従来の端末キャップを使用しても、叙上の問題を解決することはできなかった。
【０００８】
本発明の解決すべき課題は、上述した従来の端末キャップの具有する問題点や不具合を解決せんとするものである。したがって、本発明の目的とするところは、例えば地中に埋設された比較的大径の管体の中に、電線や信号線等のケーブル又はこれらを収容する電線管等の配線・配管材を、容易に挿通することができ、しかも、引き込み時に次に配設されることになる他の配線・配管材を引き込みするための引込ロープを傷つけることなく布設することができる配線・配管材の引込方法と、この方法に使用できる端末キャップを提供することである。
【課題を解決するための手段】
【０００９】
以上を解決するために、本各発明の採った手段は、実施形態において使用する符号を付して説明すると、まず請求項１に係る発明は、筒状収容体内に配線・配管材を引き込んで布設する配線・配管材の布設方法であって、前記筒状収容体の端部には、該収容体内に引き込まれる配線・配管材を保護する略ラッパ状の端末キャップが取付けられ、該端末キャップは溝状のガイド部を有し、前記端末キャップを挿通して前記収容体内に引き込まれた先行ロープに、第１の配線・配管材と該第１の配線・配管材の次に引き込まれる第２の配線・配管材を引き込むための引込ロープとを連結し、前記先行ロープを引っ張って、前記引込ロープを前記ガイド部内に収容させながら前記第１の配線・配管材を収容体内に引き込むことにより、前記端部において前記引込ロープと前記配線・配管材との摺接を避けながら前記収容体内に、引込ロープ及び第１の配線・配管材を布設することをことをその要旨とした。
【００１０】
次に、請求項２記載の発明は、先行ロープを引っ張って、配線・配管材および引込ロープを筒状収容体内に引き込んで該筒状収容体内に配線・配管材と引込ロープとを布設する際に用いられる端末キャップであって、略ラッパ状に形成されて前記収容体の端部に取付けられ、内面は前記配線・配管材の摺接する面になっているとともに、該内面には前記引込ロープが収容される溝状のガイド部を設けることにより、前記引込ロープと前記配線・配管材との摺接を避けるようにしたことをその要旨とした。
【００１１】
次に、請求項３記載の発明は、請求項２に記載の端末キャップにおいて、断面が円形に形成されたことをその要旨とした。
【００１２】
次に、請求項４記載の発明は、請求項２又は請求項３に記載の端末キャップにおいて、長手方向に割面が形成されていることをその要旨とした。
【発明の効果】
【００１３】
このように構成された請求項１に記載の配線・配管材の引込方法によると、特には、収容体の端部に備えられることになるガイド部に配線・配管材に連結させた引込ロープを摺接させ、かつこれに沿って引込ロープを好ましくはテンションをかけながら引き込みできる。すなわち、複数の配線・配管材を収容体内に引き込む場合に発生する強力な圧力が収容体の内面にかかっても、引込ロープは、ガイド部に案内されて引き込まれるため、引込ロープが傷付き途中で切れてしまうことが防止される。
【００１４】
また、引込ロープは、ガイド部に案内されながら収容体内に布設されるため、途中で配線・配管材に絡み合ったり、引込ロープ自身が絡み合ったりしてしまうことが防止される。
【００１５】
つぎに、このような構成を採用した請求項２に記載の端末キャップによれば、従来の端末キャップとは異なり、配線・配管材を挿通させることになる収容体の端部に取着することができ、これにより、端末キャップのガイド部に、配管せんとする配線・配管材に連結された引込ロープを摺接させ、かつこれに沿って引込ロープを好ましくはテンションをかけながら案内させつつ引き込みできる。すなわち、複数の配線・配管材を収容体内に引き込む場合に発生する強力な圧力がかかっても、引込ロープは、ガイド部に案内されて引き込まれるため、引込ロープが傷付き途中で切れてしまうことが防止される。
【００１６】
また、引込ロープは、ガイド部に案内されながら収容体内に布設されるため、途中で配線・配管材に絡み合ったり、引込ロープ自身が絡み合ったりしてしまうことが防止される。
【００１７】
端末キャップの断面を円形に形成すれば、端末キャップを収容体の端部に着脱自在に嵌め込みできる。
【００１８】
端末キャップの長手方向に割面を形成すれば、収容体内に先行ロープを挿通した後においても、割面から端末キャップの内部方向に先行ロープを通すことにより、収容体の端部に端末キャップを簡単に嵌め込むことができる。
【発明を実施するための最良の形態】
【００１９】
以下、本発明を具体化した配線・配管材の引き込み方法を、図面に基づいてさらに詳細に説明するが、これは代表的なものを示したものに過ぎず、その要旨を越えない限り、以下の実施例によって本発明が限定されるものではない。
【００２０】
図１は、本発明の第１実際例となる端末キャップ１０を上方から見た斜視図であり、図２は同端末キャップ１０を下方から見上げた斜視図であり、図３は同端末キャップ１０の要部を示す部分拡大斜視図である。
【００２１】
図において、この管末端キャップ１０は合成樹脂にて上端に大径の開口１２を有すると共に下端に小径の開口１４を有する略ラッパ形状の周壁１５からなるものである。周壁１５には長手方向に割面１６が備えられている。また、その周壁内面には、収容体内に引き込まれる配線・配管材を保護すべく、上端開口縁から前記下端開口縁に至るガイド部１８が備えられている。そして、ガイド部１８は、引込ロープ２６を内部に収容し得る溝で形成されている。
【００２２】
ところで、端末キャップ１０の外観形状は略ラッパ状に限らず、単に円柱形状である場合の他、収容体２０の端部に着脱自在に嵌め込みできる形状であればよい。とくに、略ラッパ形状であれば、嵌め込み作業性に優れると共に、収容体２０内への引き込みを抵抗なくスムーズに行うことが可能となるから好ましい。
【００２３】
以下、第１実際例の端末キャップ１０を使用した場合を例にとり、本発明を具体化した配線・配管材の引き込み方法について、図４〜図１５に基づいて詳細に説明する。なお、図面の理解を容易とするため、配線・配管材２５は図１０については、図示されていない。
【００２４】
図４または図５に示すように、配線・配管材２５を収納する収容体２０は、土の中に埋設されており、その両端はハンドホール３０にて開口しているものである。その内部には、配線・配管材が挿通される。収容体２０の軸方向には、配線・配管材２５を、収容体２０内に引き込みするために使用される先行ロープ２４が備えられている。尚、先行ロープ２４は、自ら収容体２０内に送り込むことができる剛性を有する長尺の呼び線でもよい。
【００２５】
次に、図６又は図７に示すように、収容体２０の端部に端末キャップ１０をはめ込み、先行ロープ２４を端末キャップ１０の内側に配置する。必要ならば、端末キャップ１０を、収納部２２の引き込みせんとする位置とガイド部１８の位置とが合うように回転させる。この場合、端末キャップ１０には割面１６が備えられているから、先行ロープの挿通後においても、割面１６から端末キャップ１０の内部方向に先行ロープを通すことにより、収容体２０の端部に端末キャップ１０を簡単にはめ込むことができる。また、収容体２０の径が異なっていても、素材である例えば合成樹脂の弾性を活用できるから比較的自在に対応できる。
【００２６】
その後、図８に示すように、配線・配管材２５及び引込ロープ２６を、連結部２７を介して先行ロープ２４を連結する。続いて、図９又は図１０に示すように、引込ロープ２６をガイド部１８に沿って係合させ、ピンと張った状態で摺接させながら先行ロープ２４を収容体２０の中に引き込みつつ、配線・配管材２５を管体２０内に引き込んでいく。このとき、図１１に示すように、引込ロープ２６は端末キャップ１０の内面上方に設けられたガイド部１８の溝内に収納されつつ引き込まれるため、複数の配線・配管材２５を収容体２０内に引き込む場合に発生する強力な圧力が収容体２０の上方内面かかっても、引込ロープ２６が傷付き途中で切れてしまうことを防止することができる。また、引込ロープ２６は、ガイド部１８に案内されながら、配管材２５の上方に布設されるため、途中で配線・配管材２５に絡み合ったり、引込ロープ２６自身が絡み合ったりしてしまうことを防止することができる。
【００２７】
このようにして、配線・配管材２５を収容体２０内に引き込んだ後、収容体２０の他端から抜け出した引込ロープ２６の連結を解除すれば、図１２又は図１３に示すように、複数の配線・配管材２５に絡み合ったり、あるいは引込ロープ２６自体が折れ曲がりすることなく、配線・配管材２５の上方に布設することができる。従って、この引込ロープ２６に次に配管されることなる第２の配線・配管材を連結して収容体２０内に引き込めば、既設の第１の配線・配管材２５の上方に容易に配管することができる。
【００２８】
また、引込ロープ２６は、上述のように、先行ロープ２４を引っ張って第１の配線・配管材２５を布設した後、先行ロープ２４を収容体１０内に引き戻すためのロープとして使用してもよい。即ち、このような場合の配線・配管材の布設方法においては、図１４に示すように、第１の配線・配管材２５を布設した後、連結部２７から配線・配管材２５の連結を解除する。続いて、図１５に示すように、先行ロープ２４を再度収容体２０内に引き込むべく、引込ロープ２６を引き戻すのである。そして、引き戻された前記先行ロープ２４に、次に引き込まれる第２の配線・配管材を連結させ、収容体２０内に引き込み配管するのである。従って、このような布設方法によれば、引込ロープ２６は、先行ロープ２４を引き戻す程度の破断強度を有すればよい。また、先行ロープを引き戻す程度の破断強度しか有していない引込ロープ２６であっても、収容体２０内に引き込まれる場合は、ガイド部１８の溝内に収容されながら引き込まれるため、引込ロープ２６が傷付き途中で切れてしまうことや、途中で配線・配管材２５に絡み合ったり、引込ロープ２６自身が絡み合ったりしてしまうことを防止することができる。
【００２９】
このように、本発明にかかる配線・配管材の布設方法は、筒状収容体２０内に配線・配管材２５を布設する方法であって、前記収容体２０内に挿通された先行ロープ２４に、第１の配線・配管材２５及び引込ロープ２６を連結し、前記引込ロープ２６を前記収容体２０の端部に設けられるガイド部１８に案内させながら、前記先行ロープ２４を引張って、前記第１の配線・配管材２５及び引込ロープ２６を該収容体１０内に引き込んで布設することをなる引込方法である。即ち、引き込みせんとする配線・配管材２５に一端を連結した引込ロープ２６をガイド部１８に摺接させピンと張りつめたた状態にて収容体２０内に引き込んでいくところに構成特徴がある。これにより、引込ロープ２６は収容体１０の端部に設けられたガイド部１８の溝内に収納されつつ引き込まれるため、複数の配線・配管材２５を収容体１０内に引き込む場合に発生する強力な圧力が、収容体１０の上方内面かかっても、引込ロープ２６が傷付き途中で切れてしまうことを防止することができる。また、引込ロープ２６は、ガイド部１８に案内されながら、配管材２５の上方に布設されるため、途中で配線・配管材２５に絡み合ったり、引込ロープ２６自身が絡み合ったりしてしまうことを防止することができる。
【００３０】
なお、本発明は、上述した実施例に限定されるものではなく、本発明の目的を達成できる範囲内での改良、変形等は本発明に含まれるものである。例えば、配線・配管材２５が、湯、水、ガス等を通す流体管を挿通する場合にも、上記と同様な方法により、順次容易に管体内に引き込んで配管することができる。
【００３１】
配線・配管材を挿通させる収容体２０の端部に、ガイド部１８を直接形成した構成を採用しても、上記と同様の作用効果が得られることは、所謂当業者には容易に理解できることである。
【図面の簡単な説明】
【００３２】
【図１】本発明の第１実際例となる端末キャップ１０を上方から見た斜視図である。
【図２】図２は、図１に示した端末キャップ１０を下方から見上げた斜視図である。
【図３】図３は、図１に示した端末キャップの要部を示す部分拡大斜視図である。
【図４】図４は、図１に示した端末キャップが取着される前の、収容体の端部を概略示す斜視図である。
【図５】図５は、図４に示す状態の断面図である。
【図６】図６は、管体に端末キャップを取着している様子を概略的に示す斜視図である。
【図７】図７は、図６に示す状態の断面図である。
【図８】図８は、本発明にかかる布設方法の実施例を示す断面図である。
【図９】図９は、本発明にかかる布設方法の実施例を示す断面図である。
【図１０】図１０は、端末キャップに設けられたガイド部に、引込ロープを係合させた状態を概略的に示す斜視図である。
【図１１】図１１は、図９における端末キャップに設けれたガイド部に、引込ロープを案内させつつ引き込む状態を示す一部拡大断面図である。
【図１２】図１２は、本発明の引込方法にて配線・配管材を配設し終えた状態を説明するために示す要部縦断面図である。
【図１３】図１３は、図１２のＡ−Ａ線に沿った要部縦断面図である。
【図１４】図１４は、本発明にかかる布設方法の別の実施例を示す断面図である。
【図１５】図１５は、本発明にかかる布設方法の別の実施例を示す断面図である。
【図１６】図１６は、従来の配線・配管材の布設方法を示す断面図である。
【図１７】図１７は、従来の配線・配管材の布設方法を示す断面図である。
【図１８】図１８は、従来の配線・配管材の布設方法を示す断面図である。
【図１９】図１９は、従来の配線・配管材の布設方法を示す断面図である。
【図２０】図２０は、図１９における一部拡大断面図である。
【符号の説明】
【００３３】
１０…端末キャップ
１２…大径の開口
１４…小径の開口
１５…略ラッパ形状の周壁
１６…割面
１８…ガイド部
２０…収容体
２４…先行ロープ
２５…配線・配管材
２６…引込ロープ
３０…ハンドホール
【図１】
2004320999.tif 000003
【図２】
2004320999.tif 000004
【図３】
2004320999.tif 000005
【図４】
2004320999.tif 000006
【図５】
2004320999.tif 000007
【図６】
2004320999.tif 000008
【図７】
2004320999.tif 000009
【図８】
2004320999.tif 000010
【図９】
2004320999.tif 000011
【図１０】
2004320999.tif 000012
【図１１】
2004320999.tif 000013
【図１２】
2004320999.tif 000014
【図１３】
2004320999.tif 000015
【図１４】
2004320999.tif 000016
【図１５】
2004320999.tif 000017
【図１６】
2004320999.tif 000018
【図１７】
2004320999.tif 000019
【図１８】
2004320999.tif 000020
【図１９】
2004320999.tif 000021
【図２０】
2004320999.tif 000022